(57)【要約】【課題】バストの整形機能を有するとともにカップ本来の柔らかい着心地を保ち、さらに優美なデザインを付加することが可能であるバストカップ付き下着を提供する。【解決手段】左右のバストカップの外表面において、カップ造形性を損なわない程度の薄い軟質プリント層を部分的に融着し、該軟質プリント層の伸縮性はバストカップの成形生地の伸縮性とほぼ等しいかまたはその伸縮性よりも小さく、該軟質プリント層をバストトップの近傍部を除いて少なくとも脇側周辺に沿って帯状且つ湾曲状に配列する。  【選択図】図１
2009221641.tif 000002
【特許請求の範囲】
【請求項１】
左右のバストカップの外表面において、カップ造形性を損なわない程度の薄い軟質プリント層を部分的に融着した女性用下着であって、軟質プリント層の伸縮性はバストカップの成形生地の伸縮性とほぼ等しいかまたはその伸縮性よりも小さく、該軟質プリント層をバストトップの近傍部を除いて少なくとも脇側周辺に沿って帯状且つ湾曲状に配列するバストカップ付き下着。
【請求項２】
左右のバストカップの外表面において、カップ造形性を損なわない程度の薄い軟質プリント層を部分的に融着した女性用下着であって、軟質プリント層の伸縮性はバストカップの成形生地の伸縮性とほぼ等しいかまたは該伸縮性よりも小さく、軟質プリント層をバストトップの近傍部を除いて脇側周辺および下側周辺に沿って湾曲状に配列するバストカップ付き下着。
【請求項３】
軟質プリント層は、バストカップの脇側周辺および下側周辺を経て、バストトップを通る垂線を越えてバスト内側にまで延設される請求項１または２記載の下着。
【請求項４】
左右のバストカップの外表面において、カップ造形性を損なわない程度の薄い軟質プリント層を部分的に融着した女性用下着であって、軟質プリント層の伸縮性はバストカップの成形生地の伸縮性とほぼ等しいかまたはその伸縮性よりも小さく、該軟質プリント層をバストトップの近傍部を除いて少なくとも上側周辺および内側周辺に沿って配列するバストカップ付き下着。
【請求項５】
左右のバストカップの外表面において、カップ造形性を損なわない程度の薄い軟質プリント層を部分的に融着した女性用下着であって、軟質プリント層の伸縮性はバストカップの成形生地の伸縮性とほぼ等しいかまたはその伸縮性よりも小さく、該軟質プリント層を左右のバストカップの下側周辺に沿って円弧状に配列し、さらに両バストカップ間の土台布の外表面に延設するバストカップ付き下着。
【請求項６】
転写シート材によって軟質プリント層をバストカップの外表面に形成し、該転写シート材はベースシート上に積層した少なくとも図柄層および接着層からなり、該転写シート材をカップ外表面に熱転写する請求項１、２、４または５記載の下着。
【発明の詳細な説明】
【技術分野】
【０００１】
本発明は、バストの整形機能を有するとともにカップ本来の柔らかい着心地を保つバストカップ付き下着に関し、さらに優美なデザインを付加することが可能であるバストカップ付き下着に関する。
【背景技術】
【０００２】
ブラジャーやキャミソールボディスーツでは、若い女性であっても、立体的で豊かなバストラインを形成するために、カップ下側周辺に沿って補整用ワイヤーを取り付けたり、下腹部の膨出を押さえるために腹部の縦方向にボーンを装着することが多い。特開２００１−２９５１０７号は、洗濯の際にワイヤーやボーンに変形が生じたり、該ワイヤーの先端が布地から突き抜けたりすることを回避するため、ワイヤーやボーンの装着位置に沿った布地にクリップなどの留め具を取り付け、該留め具を介してワイヤーやボーンを係止および脱離することにより、湾曲した長いワイヤーを容易にブラジャーから抜き出すことができる。ワイヤー入りのブラジャーは、ワイヤーによって脇側に膨出するバストの肉を内側に寄せ、バストシルエットを美しく整形できる。この反面、ブラジャーにワイヤーを入れると、肌当たりが強くなり、ワイヤー跡が肌に残ったり、着用中に違和感や強い締め付け感を覚えやすい。
【０００３】
このため、ブラジャーに補整用ワイヤーを入れず、バストカップの外表面に補整用当て布やライナーを取り付けたり、カップ周辺にレース生地を縫い付ける製品も多い。例えば、特開平１０−２５１９０４号では、バストの脇側位置において、縦伸縮性を有する当て布をバストカップの下方から上方へ縦断させ、カップ下側から脇側上方に斜行するように配置する。この当て布の上端は肩紐に縫着させ、他の部分はバストカップから遊離させる。このブラジャーは、縦伸縮性の当て布が肩紐で引っ張られ、主にバストの脇側部を部分的に引き上げるため、バスト全体を前方中心に引き寄せながら上方に持ち上げて整形できる。しかしながら、このブラジャーは、バストカップ下側にまで当て布を延設してバストを根元から持ち上げるため、該当て布と連結している肩紐にバスト全体の重量が掛かり、着用時に肩こりを生じたり、肩紐が肩に食い込んで肩への負担が大きく、長時間の着用で不快感や苦痛を感じてしまう。
【０００４】
ノンワイヤー式のブラジャーに関して、特開平１０−２５１９０４号以外にも数多くの提案が行われている。特開２００３−４１４０５号は、バスト最下端周縁より脇側にほぼＬ形状に延在するカップ支え材を備える。このカップ支え材は、バストライン内側部分をバストカップの隆起に沿って起き上がる立体形状としたプラスチック成形材からなる。このカップ支え材は、その脇側上端部がバストカップの脇側を完全に囲んでその上端縁まで達し、ストラップ連結位置の近傍まで延設するとともに、該カップ支え材の脇側上端外縁は脇線ラインまで延設する。特開２００５−２８１９２０号は、バストカップの内面または外面に高弾力性の分離カップを設ける。この分離カップは、少なくともバストトップからバストカップの下周辺までの領域において、その上下方向の中間領域にバストカップの前方正面側から脇側へ斜め上向きに配置し、該分離カップの前端縁をバストカップの下周辺の前方正面側に且つその脇側端縁をバストカップの脇側端縁に縫着し、さらにその上端部を肩紐に連結する。特開２００７−２６２６０６号では、バストカップにおいて、バストトップの下方脇側に対応する部分が厚く且つ保形性を保つようにブラジャーが形成され、高伸縮性の上辺テープと布片からなるホルダーが着用状態においてバストラインの下側からバストトップの近傍に至る領域を覆うように縫着されている。このブラジャーは、ホルダーが土台部の前中心に連結され、且つ両バストカップが前中心で接している。
【特許文献１】特開２００１−２９５１０７号公報
【特許文献２】特開平１０−２５１９０４号公報
【特許文献３】特開２００３−４１４０５号公報
【特許文献４】特開２００５−２８１９２０号公報
【特許文献５】特開２００７−２６２６０６号公報
【発明の開示】
【発明が解決しようとする課題】
【０００５】
ノンワイヤー式のブラジャーにおいて、特開２００３−４１４０５号のように、プラスチック製のカップ支え材を取り付けると、該カップ支え材は素材的に布地や不織布よりもかなり硬いため、肌当たりが悪くなって着用時に違和感を生じ、長時間の着用では不快感を覚えることがある。特開２００５−２８１９２０号のように、バストカップの外表面に取り付ける分離カップをストレッチレース布のような装飾布で形成し、該ストレッチレース布にパワーネットなどの当て布を施したり、特開２００７−２６２６０６号のように、上辺テープと布片からなるホルダーをバストカップを部分的に覆うように縫着すると、複数枚の織地や編地を重ね合わせるため、コスト面およびデザイン的に制約を受けることになる。また、バストカップに異素材を縫い付けるので、バストカップを本来の美しい丸みに造形しにくいという問題もある。
【０００６】
特開２００７−２６２６０６号では、バストカップにおいて、バストトップの脇側下方部を素材の積層などで分厚くすることにより、カップ中央部の保形性や復元性を高めているけれども、このような構成であってもコスト面およびデザイン的に制約が生じる。また、特開２００５−３３６６９７号のように、バストカップは少なくともその一部にポリウレタンフォームを用い、該バストカップを規則的に配置した高圧縮部と低圧縮部とで構成したり、またはバストカップの脇側部だけを熱プレス成形時に強く加圧して硬度を高くする場合もある。これらの特殊加工を行うと、比較的使用感が良好で多少の補整機能を有するバストカップを製造できても、高圧縮部と低圧縮部とに細分割することでコストアップにつながり、その分割や部分的な硬度差によって肌当たりが悪くなりやすい。
【０００７】
本発明は、従来のバストカップ付き下着に関する前記の問題点を改善するために提案されたものであり、カップ本来の柔らかい着心地を保ちながら、優れたバスト整形機能を有するバストカップ付き下着を提供することを目的としている。本発明の他の目的は、高いバスト整形機能を発揮するとともに、バストカップに優美なデザインを付与できるバストカップ付き下着を提供することである。
【課題を解決するための手段】
【０００８】
本発明に係るバストカップ付き下着は、左右のバストカップの外表面において、カップ造形性を損なわない程度の薄い軟質プリント層を部分的に融着した女性用下着である。本発明のバストカップ付き下着では、軟質プリント層の伸縮性はバストカップの成形生地の伸縮性とほぼ等しいかまたはその伸縮性よりも小さく、該軟質プリント層をバストトップの近傍部を除いて少なくとも脇側周辺に沿って帯状且つ湾曲状に配列する。この軟質プリント層は、バストカップの脇側周辺および下側周辺を経て、バストトップを通る垂線を越えてバスト内側にまで延設すると好ましい。
【０００９】
本発明のバストカップ付き下着は、軟質プリント層の伸縮性がバストカップの成形生地の伸縮性とほぼ等しいかまたはその伸縮性よりも小さく、該軟質プリント層をバストトップの近傍部を除いて脇側周辺および下側周辺に沿って湾曲状に配列してもよい。
【００１０】
本発明の他のバストカップ付き下着は、軟質プリント層の伸縮性がバストカップの成形生地の伸縮性とほぼ等しいかまたはその伸縮性よりも小さく、該軟質プリント層をバストトップの近傍部を除いて少なくとも上側周辺および内側周辺に沿って配列する。本発明の別のバストカップ付き下着は、軟質プリント層を左右のバストカップの下側周辺に沿って円弧状に配列し、さらに両バストカップ間の土台布の外表面に延設する。
【００１１】
本発明のバストカップ付き下着において、転写シート材によって軟質プリント層をバストカップの外表面に形成し、該転写シート材はベースシート上に積層した少なくとも図柄層および接着層からなり、該転写シート材をカップ外表面に熱転写すると好ましい。また、比較的肉厚で凹凸を有するシート素材によって軟質プリント層をバストカップの外表面に形成してもよく、該シート素材はキャリアフィルムの下に積層した少なくとも表面模様層および接着層からなり、該シート素材をカップ外表面に融着する。
【００１２】
本発明を図面によって説明すると、本発明に係るカップ付き下着は、単なるブラジャー１（図１）およびストラップレス型ブラジャー９２（図６）に限らず、ロングブラジャー、ブラスリップ、カップ付きキャミソール、カップ付きランジェ、カップ付きティディなどに適用できる。本発明のカップ付き下着におけるバストカップ２は、そのカップ形状がフルカップ、３／４カップ、１／２カップのいずれでもよく、且つその開閉タイプがフロントまたはバックのいずれにも適用できる。
【００１３】
バストカップ２，２には、肌と接触した際に違和感がなく、しかも保形性が優れた素材を用いる。このような素材として、ポリウレタンフォームが一般的であり、図２に示すように、ポリウレタンフォーム心材２０の内側に内布地２２を且つその外側に外布地２４を熱成形で一体的に接着して用いることが多い。バストカップ２の素材には、立体成形された不織布、薄フェルト地または編地などでもよく、複数の素材を組み合わせてバストカップを構成してもよい。
【００１４】
本発明における軟質プリント層２６は、バストカップ２の外表面に形成し、その伸縮性がバストカップ２の成形生地１８の伸縮性とほぼ等しいかまたはその伸縮性よりも小さいことを要する。この軟質プリント層を設けるには、図３に示すような転写シート材３６を用いる。
【００１５】
転写シート材３６（図３）は、比較的安価に軟質プリント層２６を付与できるうえに、図柄層４４などの厚み、模様の粗密、幅と湾曲長さ、素材を調整することで所望の伸縮性にすることが容易である。転写シート材３６は、図柄層４４に蒸着膜を加えて光輝性を付与したり、表面に浅い凹凸模様を付与することも可能である。この転写シートの場合には、下着の縫製・販売後においても追加貼着が可能であるから、下着の販売時に追加の転写シート材を添付しておくと、着用者の好みに応じて軟質プリント層を補完することにより、着用者に最適のオリジナルな下着にすることが可能である。
【００１６】
この軟質プリント層は、バストトップ２８の近傍部を除いてバストカップ２の周辺に帯状且つ湾曲状に配列する。例えば、図１や図８のようにバストカップ脇側周辺３０に沿って湾曲状に配列させると、着用者のバストがバストカップ２からはみ出して脇流れし、脇下でブラジャーから出た肌が膨れあがることを防止できる。図４や図７のようにバストカップ上側周辺５２および内側周辺５４に沿って配列させると、着用者が上体を俯けた際に他人から着用者のバストが見えることを防ぐ。
【００１７】
また、図１や図８のように下側周辺３２の一部または全部にも配列すると、下垂したバストによってバストカップ２が変形することを防ぐことができる。図６のようにバストカップ２の全周に亘って配列すると、各周辺部分に配列させた効果の全てを有することになる。また、図５のように軟質プリント層８２が湾曲部８６と台形部８８を有するならば、ワイヤーの代替としてバストの造形性を高め、立体的で豊かなバストラインを形成することが可能になる。
【００１８】
軟質プリント層２６の図柄は、一般的な花柄や樹木柄などの具象模様または幾何学模様のほかに、要望に応じて着用者のイニシャル、紋章、グループ名または団体名称などを全体として帯状に配列することも可能である。軟質プリント層２６の色彩は、通常、花柄や樹木柄などでは多色であり、幾何学模様ではモノクロームであればよい。また、軟質プリント層８２（図５）は、模様としての機能を有しないので、ブラジャーと同一色または類似の白色やクリーム色であればよい。
【発明の効果】
【００１９】
本発明に係るバストカップ付き下着は、比較的伸縮性の小さい軟質プリント層をバストカップの外表面だけに適宜に融着することにより、バストの脇流れおよびバスト下垂によるカップ変形などを効果的に防止し、立体的で豊かなバストラインを形成するという優れたバスト整形機能を備えている。本発明のバストカップ付き下着では、カップ外表面だけに軟質プリント層を融着するだけであるから、該軟質プリント層が着用者の肌に直接接触することもなく、カップ本来の柔らかい着心地をほぼ完全に保ち、この下着を長時間着用しても発汗や不快感を覚えることがない。
【００２０】
本発明のバストカップ付き下着は、優れたバスト整形機能を発揮するとともに、軟質プリント層の着色図柄によってバストカップに優美なデザインを付与でき、華麗な花柄、着用者のイニシャルや所属クラブのエンブレムなどをデザインできる。この軟質プリント層は、バストカップの外表面だけに薄く融着するだけであるから、バストカップの柔らかな半球形に近い形状を損なうことが殆どない。本発明のバストカップ付き下着に対し、従来のブラジャーでは、バストカップの下側にプラスチック製のカップ支え材を取り付けたり、バストカップの表面に伸縮性テープや布またはストレッチレース布を縫着するので、バストカップの本来の形状を損なってしまうことが多い。
【００２１】
本発明のバストカップ付き下着は、薄い軟質プリント層をバストカップに融着するだけであるから、該下着の製造コストを殆どアップさせることがなく、加工前とほぼ同様の価格で販売することが可能である。これに対し、補整加工された従来のブラジャーは、バストカップの外表面に補整用当て布やライナーを複数枚取り付けたり、カップ周辺にレース布を複雑に縫着するために製造コストのアップが非常に大きくなる。
【発明を実施するための最良の形態】
【００２２】
次に、本発明を実施例に基づいて説明するが、本発明は実施例に限定されるものではない。図１は本発明に係るブラジャー１を示し、該ブラジャーは、左右のバストカップ２，２と、両カップを支える土台布３と、左右の横長の背面布５と、肩紐７とで構成されている。バストカップ２は、膨出するバスト全体をほぼ完全に覆う半球形の形状を有する。土台布３は、バストカップ２，２の下方に配置する横長の布地であり、両カップの下側周辺と縫い合わせるために１対の円弧状切込み８，８を上辺に設ける。土台布３は、アンダーバスト位置において、着用者を正面側から両脇にかけて覆う。バストカップ２，２と土台布３との縫い合わせ個所の裏側には、縁テープ（図示しない）を一体的に縫着する。
【００２３】
一方の背面布５は、土台布３の脇側端辺と連続するように縫着し、該背面布の細長い後端部には係止具のリング１０を取り付ける。図示しないけれども、他方の背面布には係止具のホックを取り付け、ブラジャー１を背面側において係止具で着脱できる。肩紐７，７は、長さ調節が可能であり、バストカップ２の上端部１２から背面布５の前方上辺１５までをつなぐ。所望に応じて、ブラジャー１において、縁テープ１６をバストカップ２の脇側上端辺から土台布３の脇下上端辺を経て背面布５の上端縁に沿って連続的に縫着し、該縁テープの先端をバストカップ２の上端部１２で肩紐７と縫い合わせる。また、伸縮性の縁テープ（図示しない）を土台布３および背面布５の下端辺に沿って縫着してもよい。
【００２４】
バストカップ２は、図２に示すように、椀状に近い曲線を有する成形生地１８からなる。成形生地１８は、伸縮性に富んだポリウレタンフォーム心材２０と、その内側つまり着用者の肌側に一体的に接着した高伸縮性の内編地２２と、その外側を包むように一体的に接着した高伸縮性の外編地２４とで構成する。フォーム心材２０は、密度２５ｋｇ／ｍ３程度のポリウレタンシートを熱プレス成形機によって圧縮成形して製造すればよく、例えば、成形温度１８０〜２３０℃、プレス時間３０〜９０秒でスペーサ厚さは１.５〜２５ｍｍに定める。バストカップ２は、内表面の内編地２２を介して着用者の肌と接触し、着用者の肌が外表面の軟質プリント層２６と直接接触することはない。
【００２５】
図１および図２に示す軟質プリント層２６は、カップ造形性を損なわない程度の薄さであり、その伸縮性は、成形生地１８の伸縮性よりも小さいことを要する。軟質プリント層２６は、図示のように比較的幅広に配置した緻密な多色の花柄模様であり、脇側周辺３０および下側周辺３２に沿って湾曲状に配列する。軟質プリント層２６は、バストカップ２の脇側周辺３０および下側周辺３２を経て、バストトップ２８を通る垂線３４を越えてバスト内側にまで延設させる。
【００２６】
図３には、バストカップ２上に軟質プリント層２６を形成するための転写シート材３６を例示し、該シート材では、ベースシート３８として厚さ１００μｍのポリエステルフィルムを用いる。ベースシート３８の表面に、３００メッシュのスクリーン版によってポリアミド樹脂をベタ印刷して、厚さ５μｍの離型層４０を塗工する。
【００２７】
ベースシート３８の離型層４０の上に、透明な保護層４２を形成する。例えば、保護層４２として透明の架橋ポリウレタン系樹脂を用い、２２５メッシュのスクリーン版によって厚さ５μｍの保護層４２を印刷する。保護層４２は、図柄層４４に対応する平面形状を有し、図柄層４４の全体の周縁より０．２ｍｍ拡大した模様である。この保護層は、省略することも可能である。
【００２８】
図柄層４４は、適宜の着色顔料を含有する固形分２０％のポリウレタン系樹脂の溶液からなり、この溶液１００ｇに、シリカゲル２ｇおよび炭化水素系有機溶剤５ｇを加えて攪拌し、さらにイソシアネートを５ｇ添加して全量を１１２ｇとする。図柄層４４は、１８０メッシュのスクリーン版によって、保護層４２の上に花柄の色別に複数回印刷する。図柄層４４の厚さは５〜５０μｍである。
【００２９】
接着層４６として、固形分２０％の熱可塑性ポリウレタン系樹脂溶液８７．０ｇと、熱可塑性ポリアミド樹脂８．０ｇと、柔軟剤４．９ｇと、蛍光剤０．１ｇとを加えて攪拌し、全量を１００．０ｇとする。接着層４６は、１８０メッシュのスクリーン版によって印刷し、図柄層４４の全体の周縁より０．４ｍｍ拡大した模様を形成する。接着層４６は、同じスクリーン版で２回刷りし、厚さを５０〜８０μｍに定める。
【００３０】
次に、バストカップ２を、熱転写機（例えば、商品名：Ｔ−８０型トランステイター、図示しない）の表面凸状の下ゴテ上に載置する。一方、得た転写シート材３６は、図柄層４４をベースシート３８ごと裁断してから裏返し、バストカップ２における所定の位置に載せてから、表面凹状の上ゴテを押し当てて図柄層４４を熱転写する。この転写条件は、例えば、温度１６０℃、転写圧力９８ｋＰａ、転写時間１０秒に設定する。この熱転写の後にベースシート３８を剥離すると、図１のようにバストカップ２の外表面に花柄模様の軟質プリント層２６を強固に融着できる。
【００３１】
軟質プリント層２６を融着したバストカップ２を有するブラジャー１は、洗濯テストにおいて、家庭用電気洗濯機によってＪＩＳ Ｌ０２１７ １０３に準ずる方法で繰り返し１０回洗う。この洗濯の結果、軟質プリント層２６に摩滅、亀裂または脱落などの損耗が生じることがなく、感触が良く且つ柔軟な花柄模様を長期間保持できる。
【００３２】
図１に示す軟質プリント層２６は、その伸縮性がバストカップ２の成形生地１８の伸縮性よりも小さく、比較的幅広の花柄模様を脇側周辺３０および下側周辺３２に沿って湾曲状に密に配列しているから、着用者が係止具でブラジャー１を着用して締め付けた際に、着用者のバストがバストカップ２からはみ出して脇流れし、脇下でブラジャーから出た肌が膨れあがることを効果的に防止する。また、着用者のバストが下垂気味であるため、バストが斜め下向きに膨出しても、下側周辺３２の軟質プリント層によってバストカップ２の変形を防ぐことができる。軟質プリント層２６は、相当に広い面積で脇側を押さえるため、バストの肉が横方向や下方向に広がって流れ出るのを抑制し、脇側をスッキリとさせてバストシルエットを良好に保つ。
【００３３】
また、軟質プリント層２６は、バストトップ２８を通る垂線３４を越えてバスト内側にまで延設されているので、バストの下垂によってバストカップ２が変形することを防ぐ。この結果、ブラジャー１を老若いずれの女性が着用しても、バストカップ２，２によって優れたバスト整形機能を発揮し、立体的で豊かなバストラインを形成することができ、長時間着用しても不快感を覚えることはない。
【００３４】
図４は本発明の変形例を示し、ブラジャー４８は、前記のブラジャー１とほぼ同様の構造であり、同様の部分には同じ図番を用いる。ブラジャー４８では、例えば、比較的肉厚で凹凸を有するシート素材（図示しない）を用い、立体的な凹凸模様の軟質プリント層５０をバストトップ２８の近傍部を除いてバストカップ２の上側周辺５２および内側周辺５４に沿って幅広に配列する。軟質プリント層５０は、光輝を発する花柄の複雑な凹凸模様であるので高級感があり、バストカップ２の成形生地１８の伸縮性よりも低くても明確に伸縮性を有する。
【００３５】
ブラジャー４８では、軟質プリント層５０をバストカップ２の上側周辺５２および内側周辺５４に沿って幅広に配列するので、着用者が上体を俯けた際にバストカップ２が下方へ伸びることを抑制し、他人から着用者のバストが見えることを防ぐ。また、バストカップ２の上方部の伸びを抑制することにより、運動時などに着用者のバストがこぼれ出ないようにバストカップ２を造形できる。
【００３６】
図５に示すブラジャー８０では、軟質プリント層８２は、左右のバストカップ２の下側周辺８４，８４に沿って円弧状に配列した湾曲部８６と、土台布３の上表面において両湾曲部８６，８６をつなぐように延設した台形部８８とからなり、該軟質プリント層はワイヤーの代替えであるので前記よりも比較的厚目に形成する。湾曲部８６，８６は、バストカップ２の下方周辺部と土台布３に対応するようにほぼＬ字形の横断面を有する。軟質プリント層８２は、模様としての機能を有しないので、ブラジャー８０と同一または類似の白色やクリーム色であればよい。
【００３７】
軟質プリント層８２は、ワイヤーの代替であるけれども、ワイヤーのように洗濯時にブラジャー８０から取り外す必要がなく、そのまま洗濯可能であって収納時に折り畳むこともできる。ブラジャー８０を着用すると、バスト造形部分であるバストカップ２の湾曲部８４，８４では、ワイヤーよりも広い幅で面状にバストを下方から保持するため、バストの造形性をいっそう高め、女性年配者であっても立体的で豊かなバストラインを形成することが可能である。
【００３８】
図示しないけれども、湾曲部８６，８６は、バストカップ２の脇側部９０まで延設し、さらに肩紐７と直結するように変形してもよい。このような構成では、バストの肉の横に広がって脇側へ流れることも抑制し、脇側をスッキリとさせる。また、軟質プリント層が肩紐７と直結すると、該肩紐による上方への引っ張りによりバスト造形部と支持部分の境界が位置ずれすることなく固定でき、バストの造形性をいっそう高めることができる。
【００３９】
図６に示すブラジャー９２はストラップレス型であり、該ブラジャーは、左右のバストカップ２，２と、両カップを支える土台布３と、左右の横長の背面布５とで構成されている。土台布３は、膨出するバスト全体を覆うバストカップ２，２の下方に配置する横長の布地である。土台布３は、アンダーバスト位置において、着用者を正面側から両脇にかけて覆う。
【００４０】
軟質プリント層９４は、図１に示すプリント層２６に比べると花柄模様が粗であっても、図示のように比較的幅広に配列する。軟質プリント層９４は、バストトップ２８の近傍部を除いてバストカップ２の周辺にほぼ円弧状に配列する。着用者が係止具でブラジャー９２を着用すると、着用者のバストがバストカップ２からはみ出して脇流れし、脇下でブラジャーから出た肌が膨れあがることを抑制し、バストの下垂によってバストカップ２が変形することを防止する。また、着用者が上体を俯けた際にバストカップ２が下方へ伸びることを抑制し、他人から着用者のバストが見えることも防ぐ。
【００４１】
バストカップ付き下着として、図７ではロングブラジャー９６を示し、図８ではブラスリップ９８を示し、バストカップ２の形状は前記とほぼ同様である。軟質プリント層１００および１０２は、転写シート材を用いて形成した水玉模様のような幾何学模様であればよい。軟質プリント層１００および１０２は、カップ造形性を損なわない程度の薄さであり、その伸縮性は、バストカップ成形生地の伸縮性よりも小さい。
【００４２】
図７に示す軟質プリント層１００は、着用者が上体を俯けた際にバストカップ２が下方へ伸びることを抑制し、他人から着用者のバストが見えることを防ぐ。図８に示す軟質プリント層１０２は、着用者のバストがバストカップ２からはみ出して脇流れし、脇下でブラジャーから出た肌が膨れあがることを抑制し、図示しないけれども、ロングブラジャー９６またはブラスリップ９８について、図５に示すような形状の軟質プリント層を形成してもよく、この場合には着用者に関していっそう立体的で豊かなバストラインを形成することが可能である。
【図面の簡単な説明】
【００４３】
【図１】本発明に係るバストカップ付き下着であるブラジャーの一例を示す部分斜視図である。
【図２】図１のブラジャーにおけるバストカップの断面図である。
【図３】軟質プリント層の形成に用いる転写シート材を示す概略断面図である。
【図４】本発明の第２実施例であるブラジャーを示す部分斜視図である。
【図５】本発明の第３実施例であるブラジャーを示す部分斜視図である。
【図６】本発明の第４実施例であるブラジャーを示す部分斜視図である。
【図７】本発明の第５実施例であるロングブラジャーを示す全体斜視図である。
【図８】本発明の第６実施例であるブラスリップを示す全体斜視図である。
【符号の説明】
【００４４】
１    ブラジャー
２    バストカップ
３    土台布
５    背面布
７    肩紐
１８    成形生地
２０    ポリウレタンフォーム心材
２６    軟質プリント層
【図１】
2009221641.tif 000003
【図２】
2009221641.tif 000004
【図３】
2009221641.tif 000005
【図４】
2009221641.tif 000006
【図５】
2009221641.tif 000007
【図６】
2009221641.tif 000008
【図７】
2009221641.tif 000009
【図８】
2009221641.tif 000010